(57)【要約】      （修正有）【課題】組み立てが簡単で、軽量で取り扱い容易であり、発電機/モーターの効率が高い、デユアルハルバッハ配列磁石を備えた回転機を提供する。【解決手段】デユアルハルバッハ配列磁石トップ高効率コアレス発電機又はデユアルハルバッハ配列磁石トップ高効率コアレスモーターである回転機であって、この回転機は、樹脂製の筒状部材と、ネジ止め用の穴が形成された永久磁石と、前記穴を介して永久磁石を筒状部材に対しネジ止めするためのネジを有している。筒状部材に対しネジ止めされた永久磁石は、ハルバッハ配列された２列の永久磁石配列（デユアルハルバッハ配列の永久磁石集合体）を構成している。また、この回転機は、鉄心が無いコアレスコイルであって、コイルの巻き線としてリッツ線を使用したコイルを有する。【選択図】図１
0003225047.tif 000002
【実用新案登録請求の範囲】
【請求項１】
デユアルハルバッハ配列磁石を備えた回転機であって、
筒状部材と、
ネジ止め用の穴が形成された複数の永久磁石と、
前記穴を介して永久磁石を筒状部材に対しネジ止めするためのネジと、を有し、
前記筒状部材に対しネジ止めされた前記複数の永久磁石は、ハルバッハ配列された２列の永久磁石配列を構成している、ことを特徴とする回転機。
【請求項２】
コイルの巻き線としてリッツ線を使用したコイルを有する、
ことを特徴とする請求項１に記載の回転機。
【請求項３】
鉄心が無いコアレスコイルを有する、
ことを特徴とする請求項１又は２に記載の回転機。
【請求項４】
樹脂製のケースを有する、
ことを特徴とする請求項１乃至３の何れかに記載の回転機。
【請求項５】
前記筒状部材は樹脂製である、
ことを特徴とする請求項１乃至３の何れかに記載の回転機。
【請求項６】
前記回転機は、デユアルハルバッハ配列磁石トップ高効率コアレス発電機/モーターである、ことを特徴とする請求項１乃至５の何れかに記載の回転機。
【考案の詳細な説明】
【技術分野】
【０００１】
本考案は、発電機やモーターなどの回転機（永久磁石回転電機）の組立材料、材質に関するものである。具体的には、デユアルハルバッハ配列磁石トップ高効率コアレス発電機/モーター（回転機）の材料を全部樹脂製にして、磁石の取り付けはネジ穴を設けてネジを使用、コイルは単線銅線でなくリッツ線を使用する。
【背景技術】
【０００２】
従来の発電機やモーターなどの回転機（回転電機）では  鉄心に積層鋼板を使用してコイルを巻き  磁石は永久磁石か  電磁誘導磁石を使用して  ケースにアルミダイキャストなどを採用してきた。
【考案の概要】
【考案が解決しようとする課題】
【０００３】
しかしながら、従来の発電機やモーターには、次のような問題があった。
【０００４】
積層鋼板の鉄心にコイルを巻きつけるのは容易ではない。
【０００５】
永久磁石を並べて接着して取り付けるとき  強力な磁力の為  作業性が悪く、且つ接着剤の乾燥締結まで次の工程に進めない。
【０００６】
発電機やモーターのケースがアルミダイキャスト製の為重い。
【０００７】
そこで、上述した課題に鑑み、本考案は、組み立てが簡単で、軽量で取り扱い容易であり、発電機/モーターの効率が高い、デユアルハルバッハ配列磁石を備えた回転機を提供することを目的とする。
【課題を解決するための手段】
【０００８】
本考案では、デユアルハルバッハ配列磁石トップ高効率コアレス発電機/モーターにおいて、上述した課題を次のようにして解決した。
【０００９】
鉄心がない（コアレス）コイルを採用することにより  巻き芯の治具を作り  早くコイルを巻くことが出来る。
【００１０】
デユアルハルバッハ配列用の永久磁石にネジ穴を予め設けておき、また、永久磁石を取り付ける筒状部材（枠やケースなどの永久磁石の固定対象物）にも予めネジ穴を設けておき、永久磁石と筒状部材を互いにネジ止めにより固定する。
【００１１】
回転機のケースを全部樹脂製に変えることにより  回転機全体が軽くなる。
【００１２】
すなわち、本考案では前述した課題を解決するべく、鉄心がない（コアレス）コイルを採用し、永久磁石を採用し、樹脂製にした。
【考案の効果】
【００１３】
鉄心がない（コアレス）為  磁気飽和がなく  強力な磁力を最大限利用でき  効率が飛躍的に良くなった。又鉄心がない（コアレス）の為  コギングがなくなった。風力発電に発電機として利用すると  微風１．５m/s位からスムーズに回転して発電する。
【００１４】
従来  デユアルハルバッハ配列磁石を備えた回転機では  強力な磁力の為  磁石を並べるときに非常に作業性が悪かった。本考案では  接着剤の乾燥締結を待たずに次の工程に進むことが出来るようになる。
【００１５】
ケースを樹脂製にすることで回転機全体が軽くなる。且つ  金型を製作して射出成型にすることにより製作原価を約1/20に低減できる。
【図面の簡単な説明】
【００１６】
【図１】本考案に係る回転機の完成品の一例を示す写真である。
【図２】本考案で用いる「コイル」の一例を示す写真である。
【図３】本考案で用いる「磁石」の一例を示す写真である。
【図４】本考案で用いる「ケース樹脂製」の一例を示す写真である。
【考案を実施するための形態】
【００１７】
従来技術では  デユアルハルバッハ配列磁石トップ高効率コアレス発電機/モーターの組み立て時に使用する磁石のアルミ枠への取り付けの際  接着剤のみでは強力な磁石の磁力が邪魔をして  接着作業に大変な労力が必要で  且つ完全に乾燥締結するまで24時間以上待つ必要があり、作業性が悪い。
これに対し  本考案では  デユアルハルバッハ配列用の各永久磁石に穴を設け  筒状部材（例えばアルミ枠や樹脂製枠部材など）にタップネジを設けて  ネジ止めする。これにより  簡単に  早く組み立てることが出来る。
【００１８】
従来技術では  デユアルハルバッハ配列磁石トップ高効率コアレス発電機/モーターのコイルの巻き線は  従来銅線の丸線を使用してきた。
これに対し  本考案では    コイルに流れる渦電流を少なくして発電機/モーターの効率を上げるため  コイルにリッツ線（撚り線）を使用する。
【００１９】
従来他社の発電機/モーターは鉄心にコイルを巻いて製作していた。鉄心があるため磁気飽和を起こして  ある値以上の磁力が出なくなる。
これに対し  本考案では  デユアルハルバッハ配列磁石トップ高効率コアレス発電機/モーターのコイルは鉄心がなく（コアレス）磁気飽和がなく  磁石の高磁力をそのまま利用出来て高効率になる。そのため材料を全部樹脂製にしたデユアルハルバッハ配列磁石トップ高効率コアレス発電機/モーターが出来る。
【００２０】
なお、巻き芯治具を沢山製作することで、量産効果が上がる。
【００２１】
また、磁石の整列、並べ配置、ネジ止めは自動機が取って代わることが出来、これによって、量産化、原価低減になる。
【００２２】
また、射出成型機を複数台設置することで、量産化、原価低減になる。
【実施例】
【００２３】
本考案に係るデユアルハルバッハ配列磁石トップ高効率コアレス発電機/モーターの完成品の一例は、図１に示すとおりである。
図１に示すとおり、回転機のケースを樹脂製とすることができる。
【００２４】
デユアルハルバッハ配列磁石トップ高効率コアレス発電機/モーターで用いる「コイル」の一例は、図２に示すとおりである。
図２に示すとおり、本考案の回転機では、鉄心が無い空芯のコアレスコイルとする。なお、コイルの巻き線としてリッツ線を使用したコイルとしてもよい。
【００２５】
デユアルハルバッハ配列磁石トップ高効率コアレス発電機/モーターで用いる「磁石」の一例は、図３に示すとおりである。
図３に示すとおり、本考案では、デユアルハルバッハ配列用の各永久磁石には、ネジ止め用の貫通穴を予め形成されている。この貫通穴にネジを通して、各永久磁石を、筒状部材などの対象物に対して固定する。
【００２６】
デユアルハルバッハ配列磁石トップ高効率コアレス発電機/モーターで用いる「樹脂製ケース」の一例は、図４に示すとおりである。
図４に示すとおり、本考案の回転機では、デユアルハルバッハ配列用の永久磁石を、筒状部材（樹脂製ケース）に対しネジ止めしている。ネジ止め用のネジは、永久磁石に形成したネジ止め穴を通っている。
また、同図に示すとおり、筒状部材に対しネジ止めされた複数の永久磁石は、ハルバッハ配列された２列の永久磁石配列（デユアルハルバッハ配列）を構成している。
また、デユアルハルバッハ配列用の永久磁石の固定対象である筒状部材（ケース）を樹脂製としている。
【産業上の利用可能性】
【００２７】
本考案に係る回転機は、電気自動車、電気オートバイ、ドローン、電動自転車、電動車いす、電気掃除器、日用家電品、電動工具、無人飛行機などで用いる「モーター」として利用することが可能である。
また、本考案に係る回転機は、風力発電、水力発電、地熱発電、波力発電などで用いる「発電機」として利用することが可能である。
【図１】
0003225047.tif 000003
【図２】
0003225047.tif 000004
【図３】
0003225047.tif 000005
【図４】
0003225047.tif 000006
【手続補正書】
【提出日】令和1年11月29日(2019.11.29)
【手続補正１】
【補正対象書類名】実用新案登録請求の範囲
【補正対象項目名】請求項６
【補正方法】変更
【補正の内容】
【請求項６】
前記回転機は、デユアルハルバッハ配列磁石トップ高効率コアレス発電機、又はデユアルハルバッハ配列磁石トップ高効率コアレスモーターである、ことを特徴とする請求項１乃至５の何れかに記載の回転機。